(57)【要約】【課題】ラッチの移動方向と操作部材の操作方向がほぼ９０度異なるし、その操作部材がラッチよりも突出しないラッチ装置とする。【解決手段】本体３１とラッチ３２と付勢手段３３とリンク機構３４と操作部材３５を備えた装置本体３０と、受部材４０で構成したラッチ装置４で、そのラッチ３２は受部材４０に係合する上方位置と離脱する下方位置に移動し、付勢手段３３はラッチ３２を上方位置に保持し、リンク機構３４はラッチ３２を上方位置とする第１姿勢と下方位置とする第２姿勢に揺動し、操作部材３５はラッチ３２の移動方向とほぼ９０度異なる方向に移動し、その操作部材３５が室内側位置の時にはリンク機構３４が第１姿勢で、室外側位置に移動すると第２姿勢としてラッチ３２が下方位置となるようにしたラッチ装置。【選択図】図５
2006028824.tif 000002
【特許請求の範囲】
【請求項１】
装置本体と受部材を有したラッチ装置であって、
前記装置本体は、本体とラッチと付勢手段とリンク機構と操作部材を備え、
前記ラッチは、前記受部材に係合してロック状態とする上方位置と、前記受部材と離脱してロック解除状態とする下方位置に亘って移動し、
前記付勢手段は、ラッチを上方位置に保持し、
前記リンク機構は、ラッチを上方位置とする第１姿勢とラッチを下方位置とする第２姿勢に揺動し、
前記操作部材は、室内側位置と室外側位置に亘って移動し、室内側位置の時にはリンク機構が第１姿勢で、かつ室外側位置の時にはリンク機構が第２姿勢となるようにしたことを特徴とするラッチ装置。
【請求項２】
リンク機構は、本体に上下揺動自在に連結した第１リンクとラッチに上下揺動自在に連結した第２リンクを上下方向に揺動自在に連結し、その連結部にローラを設けた形状で、
操作部材は室内側位置と室外側位置に亘って揺動自在で、その揺動部材の室外側の面にローラが接する形状で、
前記操作部材を室内側位置から室外側位置に向けて揺動するとローラを介してリンク機構を第１姿勢から第２姿勢に向けて揺動変位するようにした請求項１記載のラッチ装置。
【請求項３】
窓枠の下部と障子の下部を室内外側方向に揺動自在に連結し、障子を室外側に向けて揺動することで窓枠に接した閉じ状態となり、かつその閉じ状態から室内側に向けて揺動すると開き状態となるようにした内倒し窓であって、
前記障子上部の室内側面に請求項１の装置本体を取付け、前記窓枠上部に請求項１の受部材を取付けてラッチ装置とし、
前記閉じ状態の障子に初動作力を付与する弾性部材を設けたことを特徴とする内倒し窓。
【発明の詳細な説明】
【技術分野】
【０００１】
本発明は、窓の障子や家具類の扉などの開閉体を閉じ状態でロックするラッチ装置及びそのラッチ装置を用いて障子を閉じ状態でロックするようにした内倒し窓に関する。
【背景技術】
【０００２】
特許文献１に机の引き出しを閉じ状態でロックするラッチ装置が開示されている。
このラッチ装置は、操作部材を押し上げることで係合爪が下方に移動して天板の開口部から抜け出してロックを解除するものである。
【０００３】
特許文献２にドアを閉じ状態でロックするラッチ装置が開示されている。
このラッチ装置は、ラッチをばねの弾発力で上方に移動して受座に係合してドアを閉じ状態で保持し、プッシュボタンを押し込むことでラッチがバネの弾発力に抗して下方に移動して受座から離脱してロックを解除するものである。
【０００４】
【特許文献１】特許第２７６０３３２号公報
【特許文献２】実公昭５８−５０００４号公報
【発明の開示】
【発明が解決しようとする課題】
【０００５】
特許文献１に開示されたラッチ装置は、操作部材が上下方向に移動すると共に、係合爪が上下方向に移動してロック、ロック解除するので、その操作部材と係合爪の移動方向が同一（上下方向）である。
このために、内倒し窓の障子を閉じ状態でロックするラッチ装置として用いた場合に、その係合爪が上下方向に移動することになるので、前記操作部材は障子の面内方向に沿って上下方向に移動するように操作することになるから、その操作部材の操作が面倒である。
【０００６】
特許文献２に開示されたラッチ装置は、プッシュボタンが横方向（水平方向）に移動すると共に、ラッチが縦方向（上下方向）に移動するから、そのプッシュボタンの移動方向とラッチの移動方向が９０度異なるので、前述のように内倒し窓の障子を閉じ状態でロックするラッチ装置として用いた場合に、そのプッシュボタンを障子の面外方向に沿って室外外側方向に移動するように操作できるから、その操作が容易である。
しかし、前述のラッチ装置はプッシュボタンのカム面でラッチを下方に移動するので、ラッチが下方に移動したロック解除状態でプッシュボタンよりも突出する。
このために、前述のように内倒し窓の障子に取付ける場合には、障子のラッチ装置取付面にプッシュボタンが挿通する孔等を加工する必要があり、その取付けが面倒であるし、障子によっては前述のプッシュボタンが挿通する孔等を加工できないことがあり、その場合にはラッチ装置を取付けできない。
【０００７】
前述したラッチ装置を用いる内倒し窓は、窓枠の下部と障子の下部を室内外側方向に揺動自在に連結し、障子を室外側に向けて揺動することで窓枠に接して閉じる閉じ状態となると共に、その閉じ状態から室内側に向けて揺動すると窓枠を開放する開き状態となる。
このために、前述の特許文献２に記載したラッチ装置の受座を窓枠の上部に取付け、プッシュボタン、ばね、ラッチを障子の上部に取付けた場合に、そのプッシュボタンを室外側に向けて押すことでラッチが受座から離脱してロック解除することができるが、そのプッシュボタンを室外側に向けて押すことで障子が閉じ状態に押しつけ保持されるので、障子が室内側に向けて揺動開始しないことがあり、ラッチ装置によるロックを解除しても障子がスムーズに開放動作しないことがある。
【０００８】
本発明の目的は、操作部材の操作方向とラッチの移動方向がほぼ９０度異なると共に、操作部材がラッチよりも突出しないラッチ装置及び、ラッチ装置によるロックを解除することで障子がスムーズに開放動作するようにした内倒し窓を提供することである。
【課題を解決するための手段】
【０００９】
第１の発明は、装置本体と受部材を有したラッチ装置であって、
前記装置本体は、本体とラッチと付勢手段とリンク機構と操作部材を備え、
前記ラッチは、前記受部材に係合してロック状態とする上方位置と、前記受部材と離脱してロック解除状態とする下方位置に亘って移動し、
前記付勢手段は、ラッチを上方位置に保持し、
前記リンク機構は、ラッチを上方位置とする第１姿勢とラッチを下方位置とする第２姿勢に揺動し、
前記操作部材は、室内側位置と室外側位置に亘って移動し、室内側位置の時にはリンク機構が第１姿勢で、かつ室外側位置の時にはリンク機構が第２姿勢となるようにしたことを特徴とするラッチ装置である。
【００１０】
第１の発明のラッチ装置においては、リンク機構は、本体に上下揺動自在に連結した第１リンクとラッチに上下揺動自在に連結した第２リンクを上下方向に揺動自在に連結し、その連結部にローラを設けた形状で、
操作部材は室内側位置と室外側位置に亘って揺動自在で、その揺動部材の室外側の面にローラが接する形状で、
前記操作部材を室内側位置から室外側位置に向けて揺動するとローラを介してリンク機構を第１姿勢から第２姿勢に向けて揺動変位するようにすることが好ましい。
このようにすれば、操作部材を室外側位置に向けて揺動すると、その室外側の面に沿ってローラが回転しながら移動するので、その操作部材の操作力を軽減できる。
【００１１】
第２の発明は、窓枠の下部と障子の下部を室内外側方向に揺動自在に連結し、障子を室外側に向けて揺動することで窓枠に接した閉じ状態となり、かつその閉じ状態から室内側に向けて揺動すると開き状態となるようにした内倒し窓であって、
前記障子上部の室内側面に第１の発明の装置本体を取付け、前記窓枠上部に第１の発明の受部材を取付けてラッチ装置とし、
前記閉じ状態の障子に初動作力を付与する弾性部材を設けたことを特徴とする内倒し窓である。
【発明の効果】
【００１２】
請求項１に係る発明によれば、ラッチの移動方向と操作部材の操作方向がほぼ９０度異なるので、内倒し窓に取付けた場合に操作部材を容易に操作してロック解除できる。
また、操作部材がラッチよりも突出することがないので、内倒し窓に取付けた場合に、その障子上部に孔等を加工する必要がなく、簡単に取付けできる。
【００１３】
請求項３に係る発明によれば、操作部材を室外側に向けて移動してロック解除することで、弾性部材によって障子が室内側に向けて揺動されて開放のきっかけとなるから、ラッチ装置によるロックを解除することで障子がスムーズに開放動作する。
【発明を実施するための最良の形態】
【００１４】
図１に示すように、窓枠１０の下部と障子２０の下部が室内外側方向に揺動自在に連結され、その障子２０は図２、図３に示すように室外側に向けて揺動して窓枠１０、好ましくは上横シール材１、下横シール材２、左右の縦シール材３に接することで窓枠１０を閉じる閉じ状態となる。この閉じ状態から障子２０を室内側に向けて揺動することで窓枠１０と離れて開放する開き状態となる。
前記閉じ状態の障子２０は弾性部材によって室内側に揺動する力（すなわち、初動作力）が付与される。
前記窓枠１０の上部と障子２０の上部とに亘ってラッチ装置４を取付けて内倒し窓を構成している。
【００１５】
次に、前記窓枠１０、障子２０の具体形状の一例を説明する。
前記窓枠１０は上枠１１と下枠１２と左右の縦枠１３を方形状に連結したものである。
前記障子２０は上框２１と下框２２と左右の縦框２３を方形状に連結し、その内部にガラス２４が装着してある。
そして、前記下枠１２と下框２２が室内外側方向に揺動自在に連結され、上枠１１と上框２１に亘ってラッチ装置４が取付けてある。つまり、その下枠１２、上枠１１が前述の窓枠１０の下部、上部で、障子２０の下框２２、上框２１が前述の障子２０の下部、上部である。
例えば、図２に示すように下枠１２の上向き片１２ａと下框２２の凹陥部２２ａが室内外側方向に回動自在に嵌合連結し、下枠１２と下框２２が室内外側方向に揺動自在に連結される。これに限ることはなくヒンジで連結しても良い。
【００１６】
図２に示すように、下枠１２に板ばね５の基片５ａが取付けられ、この板ばね５は、基片５ａと連続したほぼＵ字状に湾曲した中間片５ｂと、その中間片５ｂと連続した先片５ｃを有し、その先片５ｃが閉じ状態の障子２０の下框２２と接して障子２０に初動作力を付与し、この板ばね５が前述の弾性部材を構成している。
例えば、障子２０が閉じ状態となると下框２２で板ばね５の先片５ｃが押されて中間片５ｂが図２に実線で示すように弾性圧縮変形し、その弾性復元力で下框２２を押して障子２０に室内側に向けて揺動する力を付与する。
そして、障子２０が図２に仮想線で示すように所定角度、例えば障子２０が自重で室内側に揺動する位置となる角度だけ揺動すると板ばね５は図２に仮想線で示すように元の形状に復元し、それ以上障子２０が室内側に揺動すると先片５ｃと下框２２が離れる。
前述の弾性部材は、この板ばね５に限ることはなく、ゴム体、コイルスプリング、可動体をスプリングで突出付勢したもの、クッションシリンダ等でも良い。つまり、弾性部材は前述したように閉じ状態の障子２０に初動作力を付与するものであれば良い。
【００１７】
前述の板ばね５を取付けたことによって、障子２０が閉じ状態でラッチ装置４でロックされている状態で、そのラッチ装置４によるロックを解除することで、その板ばね５で障子２０に付与されている初動作力によって障子２０が室内側に向けて揺動開始、つまりけり出しされる。
よって、障子２０がスムーズに開放動作する。
【００１８】
図２においては、下框２２の室外側縦板２２ｂが板ばね５よりも室外側に位置し、かつ板ばね５よりも下方に突出して障子２０が閉じ状態の時に下框２２の室外側縦板２２ｂで板ばね５を覆って室外から見えないようにしてある。
具体的には、下枠１２の上面は室内側上面１２ｂと縦向面１２ｃと室外側上面１２ｄで階段形状で、その室内側上面１２ｂに前述の上向き片１２ａが一体的に設けてある。前記縦向面１２ｃにシール材取付片１２ｅが固着具で取付けてあり、そのシール材取付片１２ｅは前述の上向き片１２ａよりも上方に突出し、その上部に下横シール材２が室内側に向けて装着してある。
前記下框２２は、その室外側縦板２２ｂと室内側縦板２２ｃとの間に下向き凹部２２ｄを有し、その室内側縦板２２ｃの下部に前述の凹陥部２２ａが形成してある。この室内側縦板２２ｃに下横シール材２が接する。
前記室外側縦板２２ｂが室内側縦板２２ｃよりも下方に突出して前述の板ばね５を覆っている。この室外側縦板２２ｂの室内側面に内向片２２ｅが設けられ、この内向片２２ｅに板ばね５の先片５ｃが接する。
【００１９】
図３に示すように、縦枠１３の内面１３ａと縦框２３の外面２３ａとの間に縦空間６を形成し、この縦空間６に内倒しアーム７が設けてある。
この内倒しアーム７は障子２０の室内側への最大揺動角度、つまり開き角度を規制する。
【００２０】
次に、ラッチ装置４について説明する。
図２と図４に示すように、装置本体３０と受部材４０でラッチ装置４を構成し、その装置本体３０は上框２１の室内側面２１ａに取付けられ、受部材４０は上枠１１の室内寄り下面１１ａに取付けてある。
前記装置本体３０は、図４〜図８に示すように本体３１とラッチ３２と付勢手段３３とリンク機構３４と操作部材３５を備え、その本体３１が上框２１の室内側面２１ａに取付けられ、そのラッチ３２が受部材４０に係合、離脱する。
前記ラッチ３２は本体３１に上下方向に移動自在に設けてある。そしてラッチ３２が上方位置に移動すると受部材４０に係合して障子２０を閉じ状態でロックし、下方位置に移動すると受部材４０と離脱してロックを解除する。
前記付勢手段３３はラッチ３２を上方位置に付勢して保持する。
前記リンク機構３４は、ラッチ３２を上方位置に移動する第１姿勢とラッチ３２を下方位置に移動する第２姿勢に揺動する。
前記操作部材３５は本体３１に室内外側方向に移動自在、例えば室内外側方向に揺動自在に設けてあり、前記操作部材３３の移動方向と前記ラッチ３２の移動方向はほぼ９０度異なる。
【００２１】
前記操作部材３５が図５に示すように室内側位置（つまり、非操作位置）の時にはリンク機構３４が第１姿勢に揺動変位し、ラッチ３２が上方位置に移動して保持され、前述のように障子２０を閉じ状態でロックする。
前記操作部材３５が図８に示すように室外側位置（つまり、操作位置）の時にはリンク機構３４を第２姿勢に揺動変位し、ラッチ３２が下方位置に移動され、前述のようにロックを解除する。
【００２２】
このようであるから、操作部材３５の移動方向、つまり操作方向とラッチ３２の移動方向がほぼ９０度異なるので、このラッチ装置４を内倒し窓の障子を閉じ状態でロックするラッチ装置として用いた場合に、ラッチ３２が面内方向に沿った方向（上下方向）に移動するようにし、その操作部材３５を障子２０の面外方向に沿った方向（室内外側方向）に移動するように操作でき、その操作が容易である。
【００２３】
しかも、ラッチ３２をリンク機構３４の揺動によって上下方向に移動すると共に、そのリンク機構３４を操作部材３５で揺動するので、操作部材３５がラッチ３２よりも突出することがなく、本体３１よりも室外側に突出した部材がなく、その本体３１を取付面に固着するのみで取付けできる。
したがって、内倒し窓の障子の室内側面に取付ける場合に、その障子の室内側面、例えば上框２１の室内側面２１ａに孔等を加工する必要がなく、簡単に取付けできる。
【００２４】
また、操作部材３５を室外側に向けて移動することでロックを解除するラッチ装置４を取付けた内倒し窓であっても、前述のように弾性部材（板ばね５）を設けたことによって、ラッチ装置４による障子２０のロックを解除することで、弾性部材によって障子２０が室内側に向けて揺動する。
したがって、操作部材３５を室外側に移動してロックを解除するタイプのラッチ装置４を用いた内倒し窓において、そのラッチ装置４によるロックを解除することで障子２０がスムーズに開放動作する。
【００２５】
次に、ラッチ装置５の具体形態を説明する。
前記本体３１はベース３６とカバー３７を備え、このベース３６が上框２１の室内側面２１ａに固着具、例えばビス５０で固着して取付けられる。
前記ベース３６は取付部３６ａとラッチガイド部３６ｂとリンク取付部３６ｃと操作部材取付部３６ｄを備えている。例えば、一側板５１と他側板５２と一対の一端板５３を備え、その一側板５１の他側板５２よりも突出した両端寄り部分にビス孔５１ａを形成して取付部３６ａとしてある。この一側板５１を上框２１の室内側面２１ａに接し、上框２１の上部突出片２１ｂからビス５０をビス孔５１ａに螺合して取付ける。
前記各板で上面が開口した枠を形成し、その枠が前述のラッチガイド部３６ｂとしてある。
前記一側板５１の下部には横片５１ｂが室内側に向けて設けてある。
前記一側板５１に縦片５４が固着され、この縦片５４で前記リンク取付部３６ｃとしてある。
前記一側板５１の下部両端部分が切り起こしされて突片５５としてあり、この突片５５が前述の操作部材取付部３６ｂである。
【００２６】
前記カバー３７は表面板３７ａと上面板３７ｂと下面板３７ｃと一対の端面板３７ｄで裏面が開口したほぼ箱形状で、その表面板３７ａと下面板３７ｃに亘って操作用開口５６が形成され、前記上面板３７ｂにラッチ３２が挿通するラッチ用開口部５７が形成してある。前記端面板３７ｄの内面には表裏方向に向かうねじ孔５８が形成してある。
このカバー３７の開口端面がベース３６の一側片５１の両側部に接し、そのビス挿通孔５１ｃからビス５９をねじ孔５８に螺合してベース３６にカバー３７が取付けられる。
【００２７】
前記ラッチ３２は、前記一側板５１、他側板５２、一対の一端板５３で形成された枠内に上下摺動自在に嵌合され、その上部に係止突部３２ａを有し、かつ左右方向中央部に中央開口部３２ｂ、左右両端寄りに一対の端寄り開口部３２ｃを有する。
この中央開口部３２ｂは表面と裏面に開口し、端寄り開口部３２ｃは裏面と下面に開口している。
【００２８】
前記付勢手段３３は、ベース３６の横片５１ｂとラッチ３２の端部寄り開口部３２ｃとの間に設けたスプリング３３ａで、このスプリング３３ａでラッチ３２を上方に移動して上方位置で保持している。なお、横片５１ｂにピン３３ｂを設け、このピン３３ｂがスプリング３３ａ内に嵌合してスプリング３３ａを保持している。
【００２９】
前記リンク機構３４は第１リンク３４ａの一端部と第２リンク３４ｂの一端部をピン３４ｃで連結したもので、その第１リンク３４ａの他端部がラッチ３２の中央開口部３２ｂを挿通してベース３６の縦片５４にピン６０で上下方向に揺動自在に連結される。その第２リンク３４ｂの他端部がラッチ３２の中央開口部２３ｂの下部寄りにピン６１で上下方向に揺動自在に連結される。その第１・第２リンク３４ａ，３４ｂの一端部寄りが前記他側板５２の開口部５２ａより突出し、その連結部、例えばピン３４ｃにローラ６２が設けてある。
【００３０】
前述のようにラッチ３２がスプリング３３ａで上方位置に保持されているので、ピン６１を介して第２リンク３４ｂの他端部が上方に移動して第１・第２リンク３４ａ，３４ｂが図５に示すようにくの字形状で連結部（ローラ６２）が室内側寄りに位置する。つまり、リンク機構３４は第１姿勢である。
【００３１】
前記操作部材３５はベース３６の操作部材取付部３６ｄにピン６３で室内外側方向に揺動自在に取付けられ、この操作部材３５の裏面３５ａに前述のローラ６２が押しつけられて室内側位置となる。
前記、操作部材３５を室外側に向けて揺動するとローラ６２を介してリンク機構３４の連結部を室外側に向けて押して第２リンク３４ｂの他端部（ピン６１）を下方に移動するので、ラッチ３２がスプリング３３ａに抗して下方に移動する。
そして、図８に示すように操作部材３５が室外側位置となると第１・第２リンク３４ａ，３４ｂがほぼ一直線状、つまり第２姿勢となってラッチ３２が下方位置となる。
【００３２】
このように、操作部材３５を室内側位置から室外側位置に向けて揺動することで、その操作部材３５の裏面３５ａ（つまり、室外側の面）に沿ってローラ６２が回転しながら下方に移動してリンク機構３４を第２姿勢から第１姿勢に揺動変位するので、操作部材３５を室外側に向けて揺動する力、つまり操作力を軽減できる。
【００３３】
前記第１リンク３４ａと縦片５４の連結部、つまり装置本体３１（ベース３６）とリンク機構３４の連結部、第２リンク３４ｂとラッチ３２の連結部、つまりラッチ３２とリンク機構３４の連結部、操作部材３５と突片５５の連結部、つまり装置本体３１（ベース３６）と操作部材３５の連結部は、ラッチ３２の室内外方向の中間部に位置し、かつ一側板５１の裏面（取付面）から室外側に突出しないので、装置本体３０の室内外側方向寸法を小さくできる。
【００３４】
前記操作部材３５は、その表面３５ｂがカバー３７の表面、下面と同一形状で、かつ操作用開口５６と同一大きさの板状で、その操作部材３５の上縁部に突出片３５ｃが設けてある。
この突出片３５ｃがカバー３７の表面板３７ａの裏面における操作用開口部５６の上開口縁に接して操作部材３５を室内側位置に保持する。
前記操作部材３５の表面３５ｂには押すを意味する文字（例えばＰＵＳＨ）が設けてある。
【００３５】
このようであるから、利用者は押すを意味する文字によって操作部材３５を押してロック解除することを知ることができ、誤操作の恐れがない。
また、操作部材３５が室内側位置の時にはカバー３７の表面と操作部材３５の表面３５ｂがほぼ面一、好ましくは面一となるので、見栄えが良い。
【００３６】
前記受部材４０は、前記ラッチ３２（係止突部３２ａ）が係止する係止部、例えば係止穴１とラッチ摺動受面４２を有する。
そして、障子２０を室外側に向けて揺動するとラッチ３２（係止突部３２ａ）がラッチ摺動受面４２に沿って摺動し、そのラッチ摺動受面４２を通過すると係止穴４１に係止して障子２０を閉じ状態にロックする。
【００３７】
前述の説明ではスプリング３３ａでラッチ３２を上方位置に保持して付勢手段３３としたが、リンク機構３４をコイルバネや板ばねを用いて第１姿勢に保持することでラッチ３２を上方位置に保持する付勢手段としても良い。
また、操作部材３５は室内側位置と室外側位置とに亘ってスライド自在に支承しても良い。例えば、図７のベース３６の一側板５１にガイド溝を設け、操作部材３５に設けた摺動子をそのガイド溝に摺動自在に嵌合する。
前述したラッチ装置４は内倒し窓に限ることはなく、他の内開き窓にも用いることができる。
【図面の簡単な説明】
【００３８】
【図１】本発明の実施の形態を示す内倒し窓の内観図である。
【図２】図１の縦断面図である。
【図３】図１の横断面図である。
【図４】ラッチ装置取付部の拡大内観図である。
【図５】図４のＡ−Ａ拡大断面図である。
【図６】装置本体のカバーを外した状態の一部破断正面図である。
【図７】ラッチ装置の分解斜視図である。
【図８】ロック解除状態の断面説明図である。
【符号の説明】
【００３９】
４…ラッチ装置、５…板ばね（弾性部材）、１０…窓枠、１１…上枠（窓枠上部）、１２…下枠（窓枠下部）、２０…障子、２１…上框（障子上部）、２２…下框（障子下部）、３０…装置本体、３１…本体、３２…ラッチ、３３…付勢手段、３４…リンク機構、３４ａ…第１リンク、３４ｂ…第２リンク、３５…操作部材、４０…受部材、６２…ローラ。
【図１】
2006028824.tif 000003
【図２】
2006028824.tif 000004
【図３】
2006028824.tif 000005
【図４】
2006028824.tif 000006
【図５】
2006028824.tif 000007
【図６】
2006028824.tif 000008
【図７】
2006028824.tif 000009
【図８】
2006028824.tif 000010